(57)【要約】【課題】接点開閉時に発生するアークを早期に消弧させる。【解決手段】接離可能な一対の接点からなる接点組を有する接点開閉部３と、接点開閉部３を駆動して接点を開閉させる電磁石ブロック２と、接点の接離方向とは直交する方向に配置される対向壁１０６を、中間部を介して連続させてなる接続部材１０５と、対向壁１０６の対向部分に配置される永久磁石１０４とからなるアーク消弧部材１０３とを備える。【選択図】図２
2012195102.tif 000002
【特許請求の範囲】
【請求項１】
接離可能な一対の接点からなる接点組を有する接点開閉部と、
前記接点開閉部を駆動して接点を開閉させる電磁石ブロックと、
前記接点の接離方向とは直交する方向に配置される対向壁を、中間部を介して連続させてなる接続部材と、前記対向壁の対向部分に配置される永久磁石とからなるアーク消弧部材と、
を備えたことを特徴とする電磁継電器。
【請求項２】
前記接点開閉部と前記電磁石ブロックが載置されるベースブロックと、
前記ベースブロックに取り付けられ、前記接点開閉部と前記電磁石ブロックとを覆うケースを備え、
前記ケースは、前記アーク消弧部材の対向壁及び永久磁石を配置可能な凹部を備えたことを特徴とする請求項１に記載の電磁継電器。
【請求項３】
前記各永久磁石の対向面の極性と、接点開閉時に発生するアーク電流が流れる方向とを、前記アーク電流に前記接続部材の中間部側へと変位する力を発生させることができるように決定したことを特徴とする請求項１又は２に記載の電磁継電器。
【請求項４】
前記接点開閉部は、一対の可動接触片と、各可動接触片の可動接点が接離可能に対向する固定接点を備えた一対の固定接触片とを備え、
前記可動接触片の一方と、前記固定接触片の一方とを電気接続する接続端子を備えたことを特徴とする請求項１から３のいずれか１項に記載の電磁継電器。
【請求項５】
前記ベースブロックは、前記各接触片及び前記電磁石ブロックを有する第１ベース部と、前記各接触片及び前記電磁石ブロックのコイル端子にそれぞれ接続されるタブ端子を有する第２ベースとで構成したことを特徴とする請求項４に記載の電磁継電器。
【発明の詳細な説明】
【技術分野】
【０００１】
本発明は、電磁継電器に関するものである。
【背景技術】
【０００２】
従来、電磁継電器として、鉄心にスプールを介してコイルを巻回してなる電磁石ブロックを励磁・消磁することにより、鉄心に加締固定したヨークに回動可能に支持した可動鉄片を回動させ、可動接触片を駆動することにより、可動接点を、対向して配置した固定接触片の固定接点に開閉するようにしたものが公知である（例えば、特許文献１参照）。
【０００３】
この電磁継電器では、接点開閉部の上方側に永久磁石を配置し、接点間に磁界を発生させることにより、接点開閉時にアーク電流が発生した場合には、このアーク電流を側方に伸長させて早期に消弧させるようにしている。
【０００４】
しかしながら、前記従来の電磁継電器では、接点開閉部の上方側に配置した単一の永久磁石によって磁界を発生させるようにしている。永久磁石の下方側のＮ極から下方に向かって発生した磁界が、接点間から側方、次いで、各接触片に沿って上方へと向かい、上方側のＳ極に至ることになる。このため、磁束が周囲の空間に漏れやすく、接点開閉部に集中できないという問題がある。この結果、永久磁石に強力な磁力を発揮できるものが必要となり、コストアップを招来している。
【先行技術文献】
【特許文献】
【０００５】
【特許文献１】特開２００９−８７９１８号公報
【発明の概要】
【発明が解決しようとする課題】
【０００６】
そこで、本発明は、接点開閉時に発生するアークを早期に消弧させることのできる小型で安価なアーク消弧機能を備えた電磁継電器を提供することを課題とする。
【課題を解決するための手段】
【０００７】
本発明は、前記課題を解決するための手段として、
電磁継電器を、
接離可能な一対の接点からなる接点組を有する接点開閉部と、
前記接点開閉部を駆動して接点を開閉させる電磁石ブロックと、
前記接点の接離方向とは直交する方向に配置される対向壁を、中間部を介して連続させてなる接続部材と、前記対向壁の対向部分に配置される永久磁石とからなるアーク消弧部材と、
を備えた構成としたものである。
【０００８】
この構成により、永久磁石から発生する磁界は、周囲雰囲気に比べて透磁率の高い接続部材を介して閉ループを構成する。したがって、磁束を接点開閉位置に集中させることができる。この結果、接点開閉時に発生したアーク電流に対して、アーク消弧部材による磁界の影響力を十分に作用させることができ、アーク電流を、上方へと十分に引き延ばし、早期に消弧することができる。
【０００９】
前記接点開閉部と前記電磁石ブロックが載置されるベースブロックと、
前記ベースブロックに取り付けられ、前記接点開閉部と前記電磁石ブロックとを覆うケースを備え、
前記ケースは、前記アーク消弧部材の対向壁及び永久磁石を配置可能な凹部を備えるのが好ましい。
【００１０】
この構成により、アーク消弧部材を内部構成部品である接点開閉部及び電磁石ブロックとは完全に絶縁状態に配置することができる。
【００１１】
前記各永久磁石の対向面の極性と、接点開閉時に発生するアーク電流が流れる方向とを、前記アーク電流に前記接続部材の中間部側へと変位する力を発生させることができるように決定するのが好ましい。
【００１２】
この構成により、アーク電流の悪影響を最も与えにくい位置へとアーク電流を変形させて消弧することができる。
【００１３】
前記接点開閉部は、一対の可動接触片と、各可動接触片の可動接点が接離可能に対向する固定接点を備えた一対の固定接触片とを備え、
前記可動接触片の一方と、前記固定接触片の一方とを電気接続する接続端子を備えるのが好ましい。
【００１４】
この構成により、接続端子を追加するだけの簡単な構成で、自由に電路の構成を変更することができる。
【００１５】
前記ベースブロックは、前記各接触片及び前記電磁石ブロックを有する第１ベース部と、前記各接触片及び前記電磁石ブロックのコイル端子にそれぞれ接続されるタブ端子を有する第２ベースとで構成するのが好ましい。
【００１６】
この構成により、第２ベース部を追加するだけで、他の部品で構成される部分が既存のものであっても、タブ端子により接続位置を自由に設定することができる。
【発明の効果】
【００１７】
本発明によれば、接点開閉位置の周囲に接続部材を配置し、その対向部分に永久磁石を配置するようにしたので、永久磁石から発生する磁界を、接点開閉位置へと効果的に集中させることができる。このため、接点開閉時にアーク電流が発生したとしても、このアーク電流を磁界によって上方へと変形させ、早期に消弧させることが可能となる。
【図面の簡単な説明】
【００１８】
【図１】本実施形態に係る電磁継電器の斜視図である。
【図２】図１からケース及びアーク消弧部材を分解した状態を示す斜視図である。
【図３】図１からケースのみを除去した状態を示す斜視図である。
【図４】図１の分解斜視図である。
【図５】（ａ）は第１ベース部を上方側から見た状態を示す斜視図、（ｂ）は第１ベース部を下方側から見た状態を示す斜視図である。
【図６】第２ベース部及びタブ端子の分解斜視図である。
【図７】図６を下方側から見た状態を示す斜視図である。
【図８】可動接触片、固定接触片、コイル端子、接続端子、タブ端子の接続状態を示す斜視図である。
【図９】図２に示す電磁石ブロック及び可動鉄片の分解斜視図である。
【図１０】図９を反対側から見た状態を示す斜視図である。
【図１１】アーク電流、磁界の方向、アーク電流に作用する力の関係を示す部分斜視図である。
【図１２】図１からケースを除去した状態を示す接点閉成時の断面図である。
【図１３】図１からケースを除去した状態を示す接点開放時の断面図である。
【発明を実施するための形態】
【００１９】
以下、本発明に係る実施形態を添付図面に従って説明する。なお、以下の説明では、必要に応じて特定の方向や位置を示す用語（例えば、「上」、「下」、「側」、「端」を含む用語）を用いるが、それらの用語の使用は図面を参照した発明の理解を容易にするためであって、それらの用語の意味によって本発明の技術的範囲が限定されるものではない。また、以下の説明は、本質的に例示に過ぎず、本発明、その適用物或いはその用途を制限することを意図するものではない。
【００２０】
（１．全体構成）
図１から図４は、本実施形態に係る電磁継電器を示す。この電磁継電器は、大略、ベースブロック１に、電磁石ブロック２、接点開閉部３、及び、可動鉄片４を設け、ケース５を被せたものである。
【００２１】
（１−１．ベースブロック１）
ベースブロック１は、図２に示すように、第１ベース部６と、第２ベース部７とで構成されている。（以下、長辺に沿って長手方向に延びる方向をＸ軸、短辺に沿って短手方向に延びる方向をＹ軸、高さ方向に延びる方向をＺ軸として説明する）。
【００２２】
第１ベース部６は、図５に示すように、合成樹脂材料を成形加工することにより平面視矩形状に形成したもので、長手方向（ＸＸ´方向）の２箇所には、第１装着部８と第２装着部９が並設されている
【００２３】
第１装着部８は、後述する電磁石ブロック２を装着するためのもので、周縁部を除いて上方に膨出した台座部１０が形成されている。台座部１０の一端側（Ｘ方向側）には、短手方向（ＹＹ´方向）に延びる凹所１１が形成されている。凹所１１の両端部には、さらに深くなった位置決め凹部１２がそれぞれ形成されている。位置決め凹部１２には、後述する電磁石ブロック２のスプール５２に形成したガイド突部６６が位置決めされる。位置決め凹部１２の底面には、コイル端子６７の接続端子部７０が挿通する貫通孔２９ａが形成されている。凹所１１の両側（各位置決め凹部１２の外側近傍）には、長手方向（ＸＸ´方向）に延び、上下面に貫通するコイル端子孔１３がそれぞれ形成されている。
【００２４】
また、第１ベース部６の中央部分には、第２装着部９との境界部分にガイド部１４が形成されている。ガイド部１４は、短手方向（ＹＹ´方向）に対向して設けた一対のガイド壁１５と、これらを結ぶ絶縁壁１６とで構成されている。ガイド壁１５の対向面には、上下方向に延びるガイド溝１７がそれぞれ形成されている。両ガイド溝１７により、後述するヨーク５５の両側部がガイドされる。また、ガイド壁１５と絶縁壁１６で囲まれた領域には、短手方向（ＹＹ´方向）に所定間隔で一対の突起１８及び凹部１９がそれぞれ形成されている。これら突起１８及び凹部１９によってヒンジバネがガイドされる。
【００２５】
第２装着部９は、接点開閉部３を装着するためのもので、突条部２０によって短手方向（ＹＹ´方向）仕切られた凹部２１ａ、２１ｂがそれぞれ形成されている。各凹部２１ａ、２１ｂには、前記ガイド壁１５に沿ってスリット状の第１端子孔２２ａ、２２ｂが上下面に開口するようにそれぞれ形成されている。各第１端子孔２２ａ、２２ｂには、後述する可動接触片７９がそれぞれ圧入されるようになっている。また、第２装着部９は、一端側（Ｘ´方向側）に肉厚部２３が形成されている。肉厚部２３は、中央部に長手方向（ＸＸ´方向）に延びる溝２３ａを備え、２分割された各部位には短手方向（ＹＹ´方向）に沿ってスリット状の第２端子孔２４ａ、２４ｂが上下面に開口するようにそれぞれ形成されている。各第２端子孔２４ａ、２４ｂには、後述する固定接触片７８がそれぞれ圧入固定される。
【００２６】
第２ベース部７は、図６に示すように、前記第１ベース部６と同様に、合成樹脂材料を成形加工することにより平面視矩形状に形成したものである。第２ベース部７の上面には、周壁２５によって囲まれた矩形凹所２６が形成され、前記第１ベース部６の下面部が載置されるようになっている。矩形凹所２６内には、接続端子３９を配置するための縦長凹部２７と、４箇所の貫通孔２８ａ〜２８ｄとがそれぞれ形成されている。
【００２７】
２箇所の貫通孔２８ａ、２８ｂにはコイル端子６７の接続端子部７０が挿通され、残る２箇所の貫通孔２８ｃ、２８ｄには一方の可動接触片７９の端子部７９ｄと、一方の固定接触片７８の端子部７８ｂとがそれぞれ挿通される。また、第２ベース部７の両側部には、周壁２５の外面に沿って３箇所ずつ突部２９ａ、２９ｂ、２９ｃが形成されている。各突部２９ａ、２９ｂ、２９ｃには、圧入孔３０ａ、３０ｂ、３０ｃが形成されている。両側の各２箇所の圧入孔３０ａ、３０ｂには第１タブ端子４１の圧入部４１ｂ及び第２タブ端子４２の圧入部４２ｂがそれぞれ圧入し、残る各１箇所の圧入孔３０ｃには第３タブ端子４６の圧入部４５ｂ及び第４タブ端子４５の圧入部４６ｂがそれぞれ圧入される。
【００２８】
第２ベース部７の底面には、図７に示すように、前記各貫通孔２８ａ〜２８ｄに対応する４箇所の位置に凹部（第１凹部３１、第２凹部３２、第３凹部３４、第４凹部３５）がそれぞれ形成されている。
【００２９】
２箇所の凹部（第１凹部３１及び第２凹部３２）は、コイル端子６７に接続される第１タブ端子４１用及び第２タブ端子４２用のものである。第１凹部３１及び第２凹部３２の一端両側には、側縁部に沿って前記２箇所の圧入孔３０ａ、３０ｂが開口し、他端側中央部にはコイル端子６７の接続端子部７０が突出する貫通孔２８ａ、２８ｂが開口している。そして、貫通孔２８ａ、２８ｂの近傍部分の内側面の一部には、第２ベース部７の側縁部から徐々に深くなる傾斜面３１ａ、３２ａが形成されている。
【００３０】
また、第３凹部３４は、可動接触片７９に接続される第３タブ端子４６用のものであり、第４凹部３５は、固定接触片７８に接続される第４タブ端子４５用のものである。
【００３１】
第３凹部３４の一端側方には、前記圧入孔３０ｃが開口し、第３タブ端子４６の圧入部４６ｂが圧入される。そして、この圧入孔３０ｃに連続して、第３タブ端子４６のストッパ部４６ｄが当接するスリット状のガイド凹部３７が形成されている。また、第３凹部３４の他端側中央部には、一方の可動接触片７９Ｂの端子部７９ｄが挿通する貫通孔２８ｃが開口している。そして、貫通孔２８ｃの近傍の内側面の一部には傾斜面３４ａが形成されている。
【００３２】
第４凹部３５の一端側方には、第４タブ端子４５の圧入部４５ｄが圧入する圧入孔３０ｃが開口している。そして、前記同様、この圧入孔３０ｄに連続して、前記第４タブ端子４５のストッパ部４５ｄが当接するスリット状のガイド凹部３８が形成されている。また、第４凹部３５の他端側中央部には、一方の固定接触片７８Ａの端子部７８ｂが挿通する貫通孔２８ｄが開口している。また、第４凹部３５の一部は、第２ベース部７の側面に開口している。
【００３３】
接続端子３９は、両端が円弧状に形成された導電性板材からなり、両端部には貫通孔４０ａ、４０ｂがそれぞれ形成されている。各貫通孔４０ａ、４０ｂには、残る他方の可動接触片７９Ａの端子部７９ｄと、残る他方の固定接触片７８Ｂの端子部７８ｂがそれぞれ挿通され、半田付けにより互いに電気接続される。
【００３４】
第１タブ端子４１及び第２タブ端子４２は、図６に示すように、導電性材料からなる板状のもので、端子部４１ａ、４２ａと、その上縁両側からそれぞれ突出する一対の圧入部４１ｂ、４２ｂの間で端子部４１ａ、４２ａに対して直角に折り曲げられた接続部４１ｃ、４２ｃとで構成されている。圧入部４１ｂ、４２ｂは、前記第２ベース部７の圧入孔３０ａ、３０ｂに圧入され、第１タブ端子４１が第２ベース部７に固定されるようになっている。接続部４１ｃ、４２ｃの先端部分は円板状で、その中心には貫通孔４１ｄ、４２ｄがそれぞれ形成されている。貫通孔４１ｄ、４２ｄには、コイル端子６７の接続端子部７０が挿通され、半田付けにより互いに電気接続される。
【００３５】
第３タブ端子４６及び第４タブ端子４５は、導電性材料からなる板状のもので、端子部４５ａ、４６ａと、その上縁から幅狭となって突出する圧入部４５ｂ、４６ｂと、同じく上縁から直角に折り曲げられた接続部４５ｃ、４６ｃと、接続部４５ｃ、４６ｃとは反対側方に突出するストッパ部４５ｄ、４６ｄとで構成されている。圧入部４５ｂ、４６ｂは、前記第２ベースの圧入孔３０ｃに圧入され、第３タブ端子４６及び第４端部端子４６が第２ベース部７に固定されるようになっている。接続部４５ｃ、４６ｃの先端部分は円板状で、その中心には貫通孔４５ｅ、４６ｅがそれぞれ形成されている。貫通孔４５ｅ、４６ｅには、一方の可動接触片７９Ｂの端子部７９ｄ、一方の固定接触片７８Ａの端子部７８ｂが挿通され、半田付けにより互いに電気接続される。ストッパ部４５ｄ、４６ｄは、前記圧入孔３０ｃに連続するガイド凹部３７、３８の底面に当接して位置決めされる。
【００３６】
（１−２．電磁石ブロック２）
電磁石ブロック２は、図９及び図１０に示すように、鉄心５１にスプール５２を介してコイル５３を巻回したものである。
【００３７】
鉄心５１は、磁性材料を棒状としたもので、下端部に鍔状の磁極部５４が形成され、上端部にはヨーク５５が加締固定されるようになっている。
【００３８】
スプール５２は、合成樹脂材料を成形加工することにより得られ、中心孔５６を形成する筒状の胴部５７と、その上下両端部に形成される鍔部（上端側鍔部５８及び下端側鍔部５９）とで構成されている。
【００３９】
上端側鍔部５８は、上面に逃がし溝６０が形成され、そこには中心孔５６が開口している。逃がし溝６０には、後述するヨーク５５の一端部が配置される。下端側鍔部５９には中心孔５６が開口し、そこから鉄心５１を挿入可能となっている。
【００４０】
下端側鍔部５９の両側部には、下方に向かって突出する端子取付部６１が形成され、下端側鍔部５９の底面とで溝部を構成している。端子取付部６１には端子保持孔６２がそれぞれ形成されている。各端子保持孔６２は断面略Ｔ字形で、後述するコイル端子６７の圧入膨出部６７ａが圧入される端子固定部６２ａと、接続端子部７０が挿通する逃がし部６２ｂとで構成されている。各端子取付部６１の上方段部には、端子保持孔６２に圧入固定したコイル端子６７のコイル巻付部６８がそれぞれ突出するようになっている。
【００４１】
下端側鍔部５９には、胴部５７から側端面に掛けて、前記端子取付部６１の一方の上方側段部へと連通する案内溝６５が形成されている。案内溝６５には、胴部５７に巻回するコイル５３の一端側（巻き始め側）が配置され、コイル端子６７のコイル巻付部６８に巻き付けられるようになっている。
【００４２】
下端側鍔部５９の底面には所定間隔で一対のガイド突部６６が設けられている。これらガイド突部６６は、第１ベース部６の位置決め凹部１２に位置してベースブロック１に対してスプール５２すなわち電磁石ブロック２を位置決めする役割を果たす。
【００４３】
コイル端子６７は、導電性材料を平板状としたもので、中央部とその両側とにはそれぞれプレス加工により反対側の面に膨出する圧入膨出部６７ａが形成されている。また、コイル端子６７の上端縁部からは水平方向に突出するコイル巻付部６８と、斜め下方に突出する傾斜突部６９とが形成されている。コイル巻付部６８の近傍からは、側方から下方に向かって突出する接続端子部７０が突出している。接続端子部７０は、スプール５２の下端側鍔部５９から突出する。
【００４４】
コイル５３は、スプール５２の胴部５７に巻回された後、外周面に絶縁シート７１が貼着されるようになっている。コイル５３の一端部が前記スプール５２の案内溝６５に配置され、スプール５２の胴部５７への巻回後、両端部はそれぞれ各コイル端子６７のコイル巻付部６８に巻き付けられて半田付けされる。
【００４５】
前記鉄心５１の一端部にはヨーク５５が加締固定されている。
ヨーク５５は、磁性材料を略Ｌ字形となるように折り曲げたものである。ヨーク５５の一端部には、前記鉄心５１の一端部を挿通して加締固定するための開口部５５ａが形成されている。ヨーク５５の他端部は幅広となって、その下端部両側には突出部７２がそれぞれ形成されている。両突出部７２の間には、後述する可動鉄片４が位置し、一方の角部が可動鉄片４を回動可能に支持する支点として機能する。
【００４６】
ヒンジバネ４４は、図４に示すように、板状のバネ材をフォーク状としたもので、連結部７３から一方に、両側の位置決め用腕部７４と、中央部の弾性支持部７５とが突出している。また、連結部７３から弾性支持部７５とは反対側にガイド部７６が突出している。位置決め用腕部７４は、先端に向かうに従って徐々に上方へと傾斜し、先端部は下方に向かい、次いで斜め上方に向かうように屈曲した係止部７７となっている。係止部７７は、前記第１ベース部６の上面に形成した突起１８及び凹部１９によって位置決めされ、可動鉄片４の回動支点を下方側からガイドする。弾性支持部７５は、連結部７３から徐々に斜め上方に向かい、中間部からさらに上方側へと屈曲し、可動鉄片４を回動可能に支持する。ガイド部７６は、可動鉄片４の被吸引部８８の下面に当接し、鉄心５１の磁極部５４から離間した際の回動範囲を規制する。
【００４７】
（１−３．接点開閉部３）
接点開閉部３は、図４及び図８に示すように、銅等の導電性材料を板状にプレス加工した、固定接触片７８と可動接触片７９とで構成されている。
【００４８】
固定接触片７８は、圧入部７８ａと、圧入部７８ａから下方側に延びる端子部７８ｂと、圧入部７８ａから上方側に延びる接触片部７８ｃとで構成されている。圧入部７８ａには、プレス加工により片面から膨出する膨出部７８ｄが形成されている。この膨出部７８ｄにより第１ベース部６の第２端子孔２４ａ、２４ｂに圧入可能となっている。接触片部７８ｃの上端部には貫通孔７８ｅが形成され、そこには固定接点８０が加締固定されている。
【００４９】
可動接触片７９は、圧入部７９ａと、圧入部７９ａに加締固定されて上方に延びる接触片部７９ｂとで構成されている。圧入部７９ａは、クランク状に屈曲されており、幅広の部分には膨出部７９ｃが形成され、その下方側は幅狭の端子部７９ｄとなっている。膨出部７９ｃが第１ベース部６の端子孔２２ａに圧入される。一方の可動接触片７９の端子部７９ｄは、第１ベース部６から第２ベース部７の貫通孔２８ｃに挿通され、第３凹部３４内に突出し、他方の端子部７９ｄは、接続端子３９の貫通孔４０ａに挿通される。接触片部７９ｂは、弾性変形容易となるように、圧入部７９ａに比べて薄肉に形成され、圧入部７９ａの近傍部分から屈曲されて斜めに延びている。接触片部７９ｂの上端部には貫通孔７９ｅが形成され、そこには可動接点８１が加締固定されている。可動接触片７９は、圧入部７９ａを第１ベース部６の第１端子孔２２ａ、２２ｂに圧入された状態で、可動接点６２が第２端子孔２４ａ、２４ｂに圧入された固定接触片７８の固定接点８１に接離可能に対向する。
【００５０】
（１−４．可動鉄片４）
可動鉄片４は、図９及び図１０に示すように、板状の磁性材料をプレス加工により略Ｌ字形に形成したものである。可動鉄片４の一端側は、鉄心５１の磁極部５４に吸引される被吸引部８８である。被吸引部８８の先端部及び基部は幅狭となっており、スプール５２の底面に形成したガイド突部６６と、ヨーク５５の下端部に形成した突出部７２との干渉がそれぞれ回避されている。可動鉄片４の他端側には開口部８９が形成されている。可動鉄片４の他端部には、開口部８９の上方部分の２箇所に貫通孔９０が形成され、そこにはカード部材６５の突起９３ａが熱加締されることにより一体化される。なお、熱加締位置の両側にはスリット９１が形成され、熱加締する際に樹脂がはみ出さないようにするための凹部９２を形成する際、その部分での側方への変形を許容するための空間を提供している。
【００５１】
カード部材６５は、合成樹脂材料からなり、一方の面には可動鉄片４の上端側が配置される窪み部９３が形成されている。窪み部９３には上下２箇所に突起９３ａが形成され、これらは前記可動鉄片４の貫通孔９０に挿通された後、熱加締するために利用される。また、カード部材の他方の面には、上下方向に延びる３列の第１リブ９４が形成されている。第１リブ９４の上端部は互いに連結壁９５によって互いに連結され、その前縁部からは前方に向かって左右２つ１組で突起９６が形成されている。各１組の突起１８の間に可動接触片７９の上端部がガイドされ、連結壁９５の前端部に圧接する。カード部材６５の上端部には、前方へと突出する第１遮蔽壁９７が形成され、下端部には、前方に突出した後、下方側へと延びる第２遮蔽壁９８が形成されている。
【００５２】
（１−５．ケース５）
ケース５は、図２に示すように、合成樹脂材料を下面が開口する箱状としたものである。ケース５の上面角部には樹脂封止孔９９が形成されている。樹脂封止孔９９は、ベースブロック１とケース５の嵌合部分のシール後に熱封止される。ケース５の上面縁部（樹脂封止孔９９と反対側）には、両側にスリット状の凹部１００がそれぞれ形成されている。各凹部１００の間には、上面よりも窪んだ凹所１０１が形成されており、その上面中央部には突起１０２がそれぞれ形成されている。なお、５ａは、電磁継電器をネジ止め固定するための取付部である。
【００５３】
前記ケース５には、凹部１００及び凹所１０１を利用してアーク消弧部材１０３が取り付けられている。
【００５４】
アーク消弧部材１０３は、アークを消弧させるために所定間隔で配置した一対の永久磁石１０４ａ、１０４ｂと、これら永久磁石１０４ａ、１０４ｂを磁気的に接続するための磁性材料からなる接続部材１０５とで構成されている。
【００５５】
永久磁石１０４ａ、１０４ｂは略直方体形状で、接続部材１０５の両対向壁１０６の内面に取り付けた状態で、対向面が異なる極性となるように配置される。但し、対向面の極性は、接点間で電流が流れる方向の違いに応じてアーク電流に作用する力の方向が、後述する接続部材１０５の中間壁１０７側へと向かうように設定すればよい。
【００５６】
接続部材１０５は、板状の磁性材料をプレス加工により、両端側が互いに対向するように屈曲したものである。各対向壁１０６の内面には永久磁石１０４ａ、１０４ｂがそれ自身の磁力によって吸着固定されている。一方の永久磁石１０４ａ、１０４ｂから発生した磁束は、他方の永久磁石１０４ａ、１０４ｂから接続部材１０５を介して戻る磁気回路として閉ループを構成する。
【００５７】
このように、前記アーク消弧部材１０３によれば、一対の永久磁石１０４ａ、１０４ｂだけでなく、これらを磁気的に接続するための接続部材１０５を設けるようにしている。このため、閉ループとなる磁気回路が形成され、磁束漏れが発生しにくくなる。この結果、接点開閉時にアークが発生したとしても、このアークは、フレミング左手の法則によってアーク電流が流れる方向とは直交する方向に伸長され、短時間で消弧されることになる。
【００５８】
（２．組立方法）
続いて、前記構成からなる電磁継電器の組立方法について説明する。
【００５９】
スプール５２の胴部５７にコイル５３を巻回し、下端側鍔部５９の端子保持孔６２にコイル端子６７を圧入固定する。コイル５３の両端部は、コイル端子６７のコイル巻付部６８に巻き付けて半田付けする。また、スプール５２の中心孔５６に、下端側から鉄心５１を挿通し、上端から突出する部分にヨーク５５を加締固定する。これにより、電磁石ブロック２が完成する。
【００６０】
第１ベース部６に完成した電磁石ブロック２を装着する。
電磁石ブロック２の装着では、カード部材６５を一体化した可動鉄片４及びヒンジバネ４４と共に、第１ベース部６の第１装着部８に取り付ける。すなわち、ヒンジバネ４４の係止部７７を第１ベース部６の突起１８及び凹部１９に位置決めする。そして、ヒンジバネ４４の上方に可動鉄片４を配置し、さらにその上方に電磁石ブロック２を配置する。電磁石ブロック２は、ガイド突部６６を位置決め凹部１２に位置させ、ヨーク５５の両端部をガイド溝１７に挿入し、コイル端子６７をコイル端子孔１３に圧入することにより第１ベース部６に固定する。これにより、可動鉄片４は、ヨーク５５の下端角部に回動可能に支持される。
【００６１】
この状態では、ヨーク５５の突出部７２の底面と、スプール５２の端子取付部６１の底面とがそれぞれ第１ベース部６の台座部１０の上面に当接する。これにより、第１ベース部６の台座部１０の上面とスプール５２の下端部に露出する鉄心５１の磁極部５４との間に可動鉄片４が回動可能な隙間が形成される。可動鉄片４に一体化したカード部材６５の遮蔽壁７０がベースブロック１の絶縁壁１６を越えて配置される。そして、ベースブロック１のガイド壁１５及び絶縁壁１６、カード部材６５の遮蔽壁９７、９８によって、電磁石ブロック２と接点開閉部３との間の絶縁性が十分に確保される。
【００６２】
第１ベース部６に接点開閉部３を装着する。
接点開閉部３の装着では、可動接触片７９の端子部７９ｄを第１端子孔２２ａ、２２ｂに挿入し、圧入部７９ｃを圧入して固定する。可動接触片７９の上端部は、先に装着したカード部材６５の突起９６の間に挟持され、連結部７３に圧接する。これにより、可動接触片７９の弾性力が可動鉄片４に作用し、可動鉄片４は、被吸引部８８が鉄心５１の磁極部５４から離間した初期位置に位置決めされる。
【００６３】
また、固定接触片７８の端子部７８ｂを第１ベース部６の第２端子孔２４ａ、２４ｂに挿入し、圧入部７８ａを圧入して固定する。この状態では、固定接触片７８は可動接触片７９に所定間隔で対向し、固定接点８０に対して可動接点８１が接離可能となる。
【００６４】
さらに、第１ベース部６の底面から突出する一方の可動接触片７９Ａと、一方の固定接触片７８Ｂを接続端子３９によって接続する。すなわち、接続端子３９の各貫通孔４０ａ、４０ｂに、一方の可動接触片７９Ａの端子部７９ｄと、一方の固定接触片７８Ｂの端子部７８ｂをそれぞれ挿通し、半田付けにより電気接続する。
【００６５】
前記第１ベース部６に、タブ端子４１、４２、４５、４６を固定した第２ベース部７を装着する。
タブ端子４１、４２、４５、４６の固定では、第２ベース部７の各圧入孔２９ａ〜２９ｃに、各タブ端子４１、４２、４５、４６の圧入部４１ｂ、４２ｂ、４５ｂ、４６ｂをそれぞれ圧入する。これにより、各タブ端子４１、４２、４５、４６の接続部４１ｃ、４２ｃ、４５ｃ、４６ｃが、第１ベース部６の底面に形成した各凹部３１、３２、３４、３５に配置され、各接続部４１ｃ、４２ｃ、４５ｃ、４６ｃの貫通孔４１ｄ、４２ｄ、４５ｃ、４６ｅが第２ベース部７の各貫通孔２８ａ〜２８ｄの位置と合致する。
【００６６】
第１ベース部６への第２ベース部７の装着では、第１ベース部６の下端部を第２ベース部７の矩形凹所２６に嵌合一体化する。このとき、コイル端子６７の端子部４７が、第１タブ端子４１の貫通孔４１ｄと、第２タブ端子４２の貫通孔４２ｄに挿通する。また、可動接触片７９の端子部７９ｄが第３タブ端子４６の貫通孔４５ｅに挿通し、固定接触片７８の端子部７８ｂが第４タブ端子４５の貫通孔４６ｅに挿通する。そこで、各貫通孔２８ａ〜２８ｄに挿通する各接触片７８Ｂ、７９Ａの端子部７８ｂ、７９ｄを半田付けにより電気接続する。
【００６７】
ケース５にアーク消弧部材１０３を取り付ける。
アーク消弧部材１０３の取付では、接続部材１０５の対向壁１０６に永久磁石１０４ａ、１０４ｂを取り付けた状態で、ケース５に形成した各凹部１００に、接続部材１０５の対向壁１０６及び永久磁石１０４ａ、１０４ｂをそれぞれ挿通する。そして、接続部材１０５をケース５に熱加締により固定する。続いて、アーク消弧部材１０３を取り付けたケース５をベースブロック１に被せ、両者の嵌合部分をシールする。
【００６８】
なお、内部空間は、樹脂封止孔９９を熱封止することにより密封状態とすればよい。但し、樹脂封止孔９９は開放したままとし、内部空間を周囲雰囲気と連通した状態で使用することも可能である。
【００６９】
このようにして組み立てられた電磁継電器では、第２ベースを除く他の構成部品は、従来から使用していた構成を殆ど変更することなく、そのまま利用することができる。そして、第２ベース部７を設けることにより、他の形式に対応した電磁継電器とすることができる。ここでは、接続端子３９を設けて可動接触片７９と固定接触片７８とを接続することにより、同一電路の途中の２箇所で接点を開閉部させるようにしている。また、４つのタブ端子４１、４２、４５、４６を設けることにより、電磁継電器の他の部品（例えば、プリント基板）への電気接続位置を自由に設定することができる。
【００７０】
（３．動作）
次に、前記構成からなる電磁継電器の動作について説明する。
【００７１】
コイル５３に通電しておらず、電磁石ブロック２が消磁している状態では、可動鉄片４が可動接触片７９Ａ、７９Ｂの弾性力によってヨーク５５によって支持された支点を中心として被吸引部８８を鉄心５１の磁極部５４から離間する初期位置に位置する。したがって、可動接点８１は固定接点８０から離間した開放状態を維持する。
【００７２】
コイル５３に通電し、電磁石ブロック２を励磁すると、図１２に示すように、可動鉄片４は鉄心５１の磁極部５４に被吸引部８８を吸引され、可動接触片７９Ａ、７９Ｂの付勢力に抗して回動する。これにより、可動接触片７９Ａ、７９Ｂが弾性変形し、可動接点８１を固定接触片７８の固定接点８０に閉成する。
【００７３】
コイル５３への通電を遮断し、電磁石ブロック２を消磁すると、図１３に示すように、可動鉄片４は鉄心５１の吸引力を失って可動接触片７９Ａ、７９Ｂの弾性力により回動する。そして、固定接点８０から可動接点８１が離間する。
【００７４】
このとき、接点間にアークが発生することがあるが、接点開閉領域の周囲にはアーク消弧部材１０３が配置されているため、発生したアークは迅速に消弧される。
【００７５】
すなわち、図１１に示すように、一方の永久磁石１０４ａのＮ極から発生した磁束が他方の永久磁石１０４ｂのＳ極に至り、接続部材１０５を介して一方の永久磁石１０４ａのＳ極に戻ることにより閉ループとなる磁気回路を構成している。このため、周囲への磁束漏れが殆どなく、接点間に発生したアークに対して効果的に磁力を作用させることができる。具体的には、永久磁石１０４ａ、１０４ｂのみを配置した場合に比べて接続部材１０５を設けた場合には、接点開閉位置での磁束密度を、５３．３％向上させることが可能となった。この結果、フレミング左手の法則により、発生したアークには、接点開放方向とは直交する方向に力が作用し、このアークは大きく引き延ばされて急速に消弧された。
【００７６】
ここでは、可動接触片７９Ａ、７９Ｂで、両固定接触片７８Ａ、７８Ｂ間を開閉するように構成したため、接点開放時のアーク電流が図１１に示す向きに流れる。そこで、アークを接続部材１０５の中間壁１０７側へと変形させることができる磁束方向が得られるように、永久磁石１０４ａ、１０４ｂの磁極を対向面で異極となるように設定している。つまり、アークを接続部材１０５の中間壁１０７側へと変形させることで、アークの消弧をより確実なものとしている。
【符号の説明】
【００７７】
１…ベースブロック
２…電磁石ブロック
３…接点開閉部
４…可動鉄片
５…ケース
６…第１ベース部
７…第２ベース部
８…第１装着部
９…第２装着部
１０…台座部
１１…凹所
１２…位置決め凹部
１３…コイル端子孔
１４…ガイド部
１５…ガイド壁
１６…絶縁壁
１７…ガイド溝
１８…突起
１９…凹部
２０…突条部
２１…凹部
２２…第１端子孔
２３…肉厚部
２４…第２端子孔
２５…周壁
２６…矩形凹所
２７…縦長凹部
２８…貫通孔
２９…突部
３０…圧入孔
３１…第１凹部
３２…第２凹部
３３…圧入孔
３４…第３凹部
３５…第４凹部
３６…圧入孔
３７…ガイド凹部
３８…ガイド凹部
３９…接続端子
４０…貫通孔
４１…第１タブ端子
４２…第２タブ端子
４５…第３タブ端子
４６…第４タブ端子
５１…鉄心
５２…スプール
５３…コイル
５４…磁極部
５５…ヨーク
５６…中心孔
５７…胴部
５８…上端側鍔部
５９…下端側鍔部
６０…逃がし溝
６１…端子取付部
６２…端子取付孔
６５…案内溝
６６…ガイド突部
６７…コイル端子
６８…コイル巻付部
６９…傾斜突部
７０…接続端子部
７１…絶縁シート
７２…突出部
７３…連結部
７４…位置決め用腕部
７５…弾性支持部
７６…ガイド部
７７…係止部
７８Ａ、７８Ｂ…固定接触片
７９Ａ、７９Ｂ…可動接触片
８０…固定接点
８１…可動接点
８８…被吸引部
８９…開口部
９０…貫通孔
９１…スリット
９２…凹部
９３…窪み部
９４…第１リブ
９５…連結壁
９６…突起
９７…第１遮蔽壁
９８…第２遮蔽壁
９９…樹脂封止孔
１００…凹部
１０１…凹所
１０２…突起
１０３…アーク消弧部材
１０４…永久磁石
１０５…接続部材
１０６…対向壁
１０７…中間壁
【図１】
2012195102.tif 000003
【図２】
2012195102.tif 000004
【図３】
2012195102.tif 000005
【図４】
2012195102.tif 000006
【図５】
2012195102.tif 000007
【図６】
2012195102.tif 000008
【図７】
2012195102.tif 000009
【図８】
2012195102.tif 000010
【図９】
2012195102.tif 000011
【図１０】
2012195102.tif 000012
【図１１】
2012195102.tif 000013
【図１２】
2012195102.tif 000014
【図１３】
2012195102.tif 000015
【手続補正書】
【提出日】平成23年6月15日(2011.6.15)
【手続補正１】
【補正対象書類名】特許請求の範囲
【補正対象項目名】全文
【補正方法】変更
【補正の内容】
【特許請求の範囲】
【請求項１】
接離可能な一対の接点からなる接点組を有する接点開閉部と、
前記接点開閉部を駆動して接点を開閉させる電磁石ブロックと、
前記接点の接離方向とは直交する方向に配置される対向壁を、中間部を介して連続させてなる接続部材と、前記対向壁の対向部分に配置される永久磁石とからなるアーク消弧部材と、
前記接点開閉部と前記電磁石ブロックが載置されるベースブロックと、
前記ベースブロックに取り付けられ、前記接点開閉部と前記電磁石ブロックとを覆うケースと、
を備え、
前記ケースは、前記アーク消弧部材の対向壁及び永久磁石を配置可能な凹部を上面に備え、
前記アーク消弧部材を、前記ケースの凹部に配置することにより、前記接点開閉部及び前記電磁石ブロックとは電気的に絶縁させ、
前記各永久磁石の対向面の極性と、接点開閉時に発生するアーク電流が流れる方向とを、前記アーク電流に前記接続部材の中間部が配置される上方へと変位する力を発生させることができるように決定したことを特徴とする電磁継電器。
【請求項２】
前記接点開閉部は、一対の可動接触片と、各可動接触片の可動接点が接離可能に対向する固定接点を備えた一対の固定接触片とを備え、
前記可動接触片の一方と、前記固定接触片の一方とを、接点開閉時に発生するアーク電流に対し、前記アーク消弧部材により作用する力の方向が、前記接続部材の中間部が配置される上方側となるように電気接続する接続端子を備えたことを特徴とする請求項１に記載の電磁継電器。
【請求項３】
前記ベースブロックは、前記各接触片及び前記電磁石ブロックを有する第１ベース部と、前記各接触片及び前記電磁石ブロックのコイル端子にそれぞれ接続されるタブ端子を有する第２ベース部とで構成したことを特徴とする請求項２に記載の電磁継電器。
【手続補正２】
【補正対象書類名】明細書
【補正対象項目名】０００７
【補正方法】変更
【補正の内容】
【０００７】
本発明は、前記課題を解決するための手段として、
電磁継電器を、
接離可能な一対の接点からなる接点組を有する接点開閉部と、
前記接点開閉部を駆動して接点を開閉させる電磁石ブロックと、
前記接点の接離方向とは直交する方向に配置される対向壁を、中間部を介して連続させてなる接続部材と、前記対向壁の対向部分に配置される永久磁石とからなるアーク消弧部材と、
前記接点開閉部と前記電磁石ブロックが載置されるベースブロックと、
前記ベースブロックに取り付けられ、前記接点開閉部と前記電磁石ブロックとを覆うケースと、
を備え、
前記ケースは、前記アーク消弧部材の対向壁及び永久磁石を配置可能な凹部を上面に備え、
前記アーク消弧部材を、前記ケースの凹部に配置することにより、前記接点開閉部及び前記電磁石ブロックとは電気的に絶縁させ、
前記各永久磁石の対向面の極性と、接点開閉時に発生するアーク電流が流れる方向とを、前記アーク電流に前記接続部材の中間部が配置される上方へと変位する力を発生させることができるように決定した構成としたものである。
【手続補正３】
【補正対象書類名】明細書
【補正対象項目名】０００８
【補正方法】変更
【補正の内容】
【０００８】
この構成により、永久磁石から発生する磁界は、周囲雰囲気に比べて透磁率の高い接続部材を介して閉ループを構成する。したがって、磁束を接点開閉位置に集中させることができる。この結果、接点開閉時に発生したアーク電流に対して、アーク消弧部材による磁界の影響力を十分に作用させることができ、アーク電流を、上方へと十分に引き延ばし、早期に消弧することができる。また、アーク消弧部材を内部構成部品である接点開閉部及び電磁石ブロックとは完全に絶縁状態に配置することができる。さらに、アーク電流の悪影響を最も与えにくい位置へとアーク電流を変形させて消弧することができる。
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】変更
【補正の内容】
【００１３】
前記接点開閉部は、一対の可動接触片と、各可動接触片の可動接点が接離可能に対向する固定接点を備えた一対の固定接触片とを備え、
前記可動接触片の一方と、前記固定接触片の一方とを、接点開閉時に発生するアーク電流に対し、前記アーク消弧部材により作用する力の方向が、前記接続部材の中間部が配置される上方側となるように電気接続する接続端子を備えるのが好ましい。
【手続補正９】
【補正対象書類名】明細書
【補正対象項目名】００１５
【補正方法】変更
【補正の内容】
【００１５】
前記ベースブロックは、前記各接触片及び前記電磁石ブロックを有する第１ベース部と、前記各接触片及び前記電磁石ブロックのコイル端子にそれぞれ接続されるタブ端子を有する第２ベース部とで構成するのが好ましい。
【手続補正書】
【提出日】平成23年10月18日(2011.10.18)
【手続補正１】
【補正対象書類名】特許請求の範囲
【補正対象項目名】全文
【補正方法】変更
【補正の内容】
【特許請求の範囲】
【請求項１】
接離可能な一対の接点からなる接点組を有する接点開閉部と、
前記接点開閉部を駆動して接点を開閉させる電磁石ブロックと、
前記接点の接離方向とは直交する方向に配置される対向壁を、中間部を介して連続させてなる接続部材と、前記対向壁の対向部分に配置される永久磁石とからなるアーク消弧部材と、
前記接点開閉部と前記電磁石ブロックが載置される第１ベース部と、前記接点開閉部及び前記電磁石ブロックにそれぞれ接続されたタブ端子を有する第２ベース部とからなるベースブロックと、
前記ベースブロックに取り付けられ、前記接点開閉部と前記電磁石ブロックとを覆うケースと、
を備え、
前記ケースは、前記アーク消弧部材の対向壁及び永久磁石を配置可能で、内部空間には開口しない凹部を上面に備え、
前記アーク消弧部材を、前記ケースの凹部に配置することにより、前記接点開閉部及び前記電磁石ブロックとは電気的に絶縁させ、
前記各永久磁石の対向面の極性と、接点開閉時に発生するアーク電流が流れる方向とを、前記アーク電流に前記接続部材の中間部が配置される上方へと変位する力を発生させることができるように決定したことを特徴とする電磁継電器。
【請求項２】
前記接点開閉部は、一対の可動接触片と、各可動接触片の可動接点が接離可能に対向する固定接点を備えた一対の固定接触片とを備え、
前記可動接触片の一方と、前記固定接触片の一方とを、接点開閉時に発生するアーク電流に対し、前記アーク消弧部材により作用する力の方向が、前記接続部材の中間部が配置される上方側となるように電気接続する接続端子を備えたことを特徴とする請求項１に記載の電磁継電器。
【請求項３】
前記ベースブロックの第１ベース部に載置する接点開閉部は前記各接触片であり、第２ベース部のタブ端子は、前記各接触片及び前記電磁石ブロックのコイル端子にそれぞれ接続されることを特徴とする請求項２に記載の電磁継電器。
【手続補正２】
【補正対象書類名】明細書
【補正対象項目名】０００７
【補正方法】変更
【補正の内容】
【０００７】
本発明は、前記課題を解決するための手段として、
電磁継電器を、
接離可能な一対の接点からなる接点組を有する接点開閉部と、
前記接点開閉部を駆動して接点を開閉させる電磁石ブロックと、
前記接点の接離方向とは直交する方向に配置される対向壁を、中間部を介して連続させてなる接続部材と、前記対向壁の対向部分に配置される永久磁石とからなるアーク消弧部材と、
前記接点開閉部と前記電磁石ブロックが載置される第１ベース部と、前記接点開閉部及び前記電磁石ブロックにそれぞれ接続された第２ベース部とからなるベースブロックと、
前記ベースブロックに取り付けられ、前記接点開閉部と前記電磁石ブロックとを覆うケースと、
を備え、
前記ケースは、前記アーク消弧部材の対向壁及び永久磁石を配置可能で、内部空間には開口しない凹部を上面に備え、
前記アーク消弧部材を、前記ケースの凹部に配置することにより、前記接点開閉部及び前記電磁石ブロックとは電気的に絶縁させ、
前記各永久磁石の対向面の極性と、接点開閉時に発生するアーク電流が流れる方向とを、前記アーク電流に前記接続部材の中間部が配置される上方へと変位する力を発生させることができるように決定した構成としたものである。
【手続補正３】
【補正対象書類名】明細書
【補正対象項目名】０００８
【補正方法】変更
【補正の内容】
【０００８】
この構成により、永久磁石から発生する磁界は、周囲雰囲気に比べて透磁率の高い接続部材を介して閉ループを構成する。したがって、磁束を接点開閉位置に集中させることができる。この結果、接点開閉時に発生したアーク電流に対して、アーク消弧部材による磁界の影響力を十分に作用させることができ、アーク電流を、上方へと十分に引き延ばし、早期に消弧することができる。また、アーク消弧部材を内部構成部品である接点開閉部及び電磁石ブロックとは完全に絶縁状態に配置することができる。さらに、アーク電流の悪影響を最も与えにくい位置へとアーク電流を変形させて消弧することができる。さらにまた、第２ベース部を追加するだけで、他の部品で構成される部分が既存のものであっても、タブ端子により接続位置を自由に設定することができる。
【手続補正４】
【補正対象書類名】明細書
【補正対象項目名】００１５
【補正方法】変更
【補正の内容】
【００１５】
前記ベースブロックの第１ベース部に載置する接点開閉部は前記各接触片であり、第２ベース部のタブ端子は、前記各接触片及び前記電磁石ブロックのコイル端子にそれぞれ接続されるのが好ましい。
【手続補正５】
【補正対象書類名】明細書
【補正対象項目名】００１６
【補正方法】削除
【補正の内容】
【手続補正書】
【提出日】平成24年6月1日(2012.6.1)
【手続補正１】
【補正対象書類名】特許請求の範囲
【補正対象項目名】全文
【補正方法】変更
【補正の内容】
【特許請求の範囲】
【請求項１】
一対の可動接触片と、各可動接触片の可動接点が接離可能に対向する固定接点を備えた一対の固定接触片とを有する接点開閉部と、
鉄心にスプールを介してコイルを巻回し、コイル端子を介してコイルに通電することにより励磁・消磁し、前記可動接触片を駆動して接点を開閉させる電磁石ブロックと、
前記接点の接離方向とは直交する方向に配置される対向壁を、中間部を介して連続させてなる接続部材と、前記対向壁の対向部分に配置される永久磁石とからなるアーク消弧部材と、
前記接点開閉部と前記電磁石ブロックが載置され、前記各接触片の端子部と、前記コイル端子の端子部とがそれぞれ突出する第１ベース部と、前記端子部に接続されるように配置される接続部、及び、他の部品への電気接続位置に合わせて位置を変更されて配置される端子部を有するタブ端子を取り付けられた第２ベース部とからなるベースブロックと、
前記ベースブロックに取り付けられ、前記接点開閉部と前記電磁石ブロックとを覆うケースと、
を備え、
前記ケースは、前記アーク消弧部材の対向壁及び永久磁石を配置可能で、内部空間には開口しない凹部を上面に備え、
前記アーク消弧部材を、前記ケースの凹部に配置することにより、前記接点開閉部及び前記電磁石ブロックとは電気的に絶縁させ、
前記各永久磁石の対向面の極性と、接点開閉時に発生するアーク電流が流れる方向とを、前記アーク電流に前記接続部材の中間部が配置される上方へと変位する力を発生させることができるように決定したことを特徴とする電磁継電器。
【請求項２】
前記可動接触片の一方と、前記固定接触片の一方とを、接点開閉時に発生するアーク電流に対し、前記アーク消弧部材により作用する力の方向が、前記接続部材の中間部が配置される上方側となるように電気接続する接続端子を備えたことを特徴とする請求項１に記載の電磁継電器。
【請求項３】
前記ベースブロックの第２ベース部には、前記可動接触片の一方と、前記固定接触片の一方とを接続する接続端子を取り付けたことを特徴とする請求項１又は２に記載の電磁継電器。
【手続補正２】
【補正対象書類名】明細書
【補正対象項目名】０００７
【補正方法】変更
【補正の内容】
【０００７】
本発明は、前記課題を解決するための手段として、
電磁継電器を、
一対の可動接触片と、各可動接触片の可動接点が接離可能に対向する固定接点を備えた一対の固定接触片とを有する接点開閉部と、
鉄心にスプールを介してコイルを巻回し、コイル端子を介してコイルに通電することにより励磁・消磁し、前記可動接触片を駆動して接点を開閉させる電磁石ブロックと、
前記接点の接離方向とは直交する方向に配置される対向壁を、中間部を介して連続させてなる接続部材と、前記対向壁の対向部分に配置される永久磁石とからなるアーク消弧部材と、
前記接点開閉部と前記電磁石ブロックが載置され、前記各接触片の端子部と、前記コイル端子の端子部とがそれぞれ突出する第１ベース部と、前記端子部に接続されるように配置される接続部、及び、他の部品への電気接続位置に合わせて位置を変更されて配置される端子部を有するタブ端子を取り付けられた第２ベース部とからなるベースブロックと、
前記ベースブロックに取り付けられ、前記接点開閉部と前記電磁石ブロックとを覆うケースと、
を備え、
前記ケースは、前記アーク消弧部材の対向壁及び永久磁石を配置可能で、内部空間には開口しない凹部を上面に備え、
前記アーク消弧部材を、前記ケースの凹部に配置することにより、前記接点開閉部及び前記電磁石ブロックとは電気的に絶縁させ、
前記各永久磁石の対向面の極性と、接点開閉時に発生するアーク電流が流れる方向とを、前記アーク電流に前記接続部材の中間部が配置される上方へと変位する力を発生させることができるように決定した構成としたものである。
【手続補正３】
【補正対象書類名】明細書
【補正対象項目名】００１５
【補正方法】変更
【補正の内容】
【００１５】
前記ベースブロックの第２ベース部には、前記可動接触片の一方と、前記固定接触片の一方とを接続する接続端子を取り付けるのが好ましい。